(57)【要約】      （修正有）【課題】ぐらつきを防止して、横張り用ロープの横張り状態の安定性を高め、横張り用ロープの施工を容易かつ迅速に行う、植栽用パイプラックを提供する。【解決手段】横張り用ロープの支持部３０とパイプ支柱５０に対する装着部２０とを備える。装着部２０が、真っ直ぐな線状受け部２１と線状押さえ部２３と線状折曲げ部２５とを有する。線状受け部２１の軸線を基準位置とする線状押さえ部２３からの線状折曲げ部２５の開き角度θが直角よりも大きい角度になっている。線状受け部２１と線状押さえ部２３とによる筒壁５１の挟み付け箇所で、それらの線状受け部２１と線状押さえ部２３とがパイプ支柱５０の半径方向に並ぶようになっている。【選択図】図９
0003192445.tif 000002
【実用新案登録請求の範囲】
【請求項１】
横張り用ロープを支えるための支持部と起立姿勢のパイプ支柱に対する装着部とを備える植栽用パイプフックであって、
１本の金属線材を折り曲げることにより製作されていて、
上記装着部が、上記パイプ支柱の頂部でそのパイプ支柱の内側に挿入されてその筒壁の内周面に当接される真っ直ぐな線状受け部と、この線状受け部の先端部からその線状受け部に沿う折返し方向に延出されていて、上記筒壁の外周面に当接することにより上記線状受け部と共働して上記筒壁を挟み付ける線状押さえ部と、上記線状受け部の基端部を折り曲げることにより形成されていて、上記筒壁の内周面に対する上記線状受け部の当接箇所からその筒壁の周方向に隔てた箇所でその筒壁の内周面に当接することにより当該装着部のぐらつきを抑制する線状折曲げ部と、を有していると共に、
上記線状押さえ部を折り曲げることにより上記支持部が形成されていることを特徴とする植栽用パイプフック。
【請求項２】
上記線状受け部の軸線を基準位置とする上記線状押さえ部からの上記線状折曲げ部の開き角度が直角である請求項１に記載した植栽用パイプフック。
【請求項３】
上記線状受け部の軸線を基準位置とする上記線状押さえ部からの上記線状折曲げ部の開き角度が、直角よりも大きい角度である請求項１に記載した植栽用パイプフック。
【請求項４】
上記線状受け部に対する上記線状折曲げ部の折曲げ方向が、上記線状受け部に対する折返し方向である請求項１ないし請求項３のいずれか１項に記載した植栽用パイプフック。
【請求項５】
上記線状受け部と上記線状押さえ部とによる上記筒壁の挟み付け箇所で、それらの線状受け部と線状押さえ部とが上記パイプ支柱の半径方向に並ぶように、上記線状折曲げ部の長さ及び上記開き角度が定められていると共に、上記支持部が上記線状押さえ部の端部から線状受け部と線状押さえ部との並び方向に突き出ている請求項３又は請求項４に記載した植栽用パイプフック。
【考案の詳細な説明】
【技術分野】
【０００１】
本考案は、植栽用パイプフック、詳しくは、蔓性植物や果実などを吊り下げる吊下げ紐を垂れ下げるのに用いる横張り用ロープを支える植栽用パイプフックに関する。
【背景技術】
【０００２】
周知のように、メロンなどの果実やトマトといった蔓性植物は、果実などを地表から離して栽培することが要求されるため、蔓や茎、果実などを吊下げ紐で吊した状態で栽培することがある。その際、吊下げ紐は、横方向に張ったロープ（横張り用ロープ）の適所に、結束やその他の方法で結合されて垂れ下げられる。また、横張り用ロープの両端部や中間部は、植栽地に立てられたパイプ支柱によって支えられる。
【０００３】
先行例には、吊下げ部から垂れ下げた吊り紐を利用して果実を吊り下げることが示されている（特許文献1参照）。他の先行例には、ビニールハウス内の左右の支柱間に耐力ロープを張り、この耐力ロープから垂れ下げた茎葉吊紐を用いて、メロンの蔓を支持させることが示されている（特許文献２参照）。さらに他の先行例には、吊り紐誘引による植栽方法に関して、畝の長手方向に張った針金線から誘引用吊り紐を吊すことが示されている。
【０００４】
一方、従来より、植栽方法として、支柱の外側に嵌着されたホルダーに、横張り用ロープの適所を支えるフックを具備させておき、そのフックに係止させることにより施工した横張り用ロープから吊下げ紐を垂れ下げて蔓性植物の果実などを吊り下げる、という方法が知られていた。
【先行技術文献】
【特許文献】
【０００５】
【特許文献１】特開２００２−２３８３６３号公報
【特許文献２】特開平７−３２７５１４号公報
【特許文献３】特開２００２−３４５３４５号公報
【考案の概要】
【考案が解決しようとする課題】
【０００６】
しかしながら、従来より行われていた植栽方法に採用されているフックは、支柱の外側に嵌着されているホルダーに固定されていたので、ホルダーがずれ落ちたりしたときにフックの高さが低くなり、そのことが原因となって、フックに支持されている横張り用ロープが弛んだり、横張り用ロープの張り位置が下がったりして、果実などの吊下げ高さが変わることがあるという問題があった。
【０００７】
本考案は以上の問題に鑑みてなされたものであり、横張り用ロープが弛んだりその張り位置が下がったりすることがなく、しかも、パイプ支柱にぐらつかない状態で装着することのできる植栽用パイプフックを提供することを目的とする。
【０００８】
また、本考案は、横張り用ロープを支えるための支持部のパイプ支柱からの出幅をできるだけ拡げられるようにすることによって、横張り用ロープの施工を容易に行うことができるようになる植栽用パイプフックを提供することを目的とする。
【課題を解決するための手段】
【０００９】
本考案に係る植栽用パイプフックは、横張り用ロープを支えるための支持部と起立姿勢のパイプ支柱に対する装着部とを備えている。この植栽用パイプフックは、１本の金属線材を折り曲げることにより製作されている。そして、上記装着部が、上記パイプ支柱の頂部でそのパイプ支柱の内側に挿入されてその筒壁の内周面に当接される真っ直ぐな線状受け部と、この線状受け部の先端部からその線状受け部に沿う折返し方向に延出されていて、上記筒壁の外周面に当接することにより上記線状受け部と共働して上記筒壁を挟み付ける線状押さえ部と、上記線状受け部の基端部を折り曲げることにより形成されていて、上記筒壁の内周面に対する上記線状受け部の当接箇所からその筒壁の周方向に隔てた箇所でその筒壁の内周面に当接することにより上記装着部のぐらつきを抑制する線状折曲げ部と、を有していると共に、上記線状押さえ部を折り曲げることにより上記支持部が形成されている。
【００１０】
このように構成された植栽用パイプフックによると、パイプ支柱の頂部に装着された装着部の線状受け部の先端部と線状押さえ部との連設箇所が、パイプ支柱の筒壁の頂部に引掛かることによってパイプフックのずれ落ちが防止される。そのため、施工後に横張り用ロープが弛んだりその張り位置が下がったりすることがなくなる。また、線状押さえ部と線状折曲げ部とが上記筒壁の内周面の周方向の２箇所に当接するために、パイプ支柱の頂部に装着されたパイプフックがぐらつきにくくなって、支持部に支えられたロープの横張り状態の安定性が向上する。
【００１１】
本考案では、上記線状受け部の軸線を基準位置とする上記線状押さえ部からの上記線状折曲げ部の開き角度が直角である、という構成を採用したり、上記線状受け部の軸線を基準位置とする上記線状押さえ部からの上記線状折曲げ部の開き角度が、直角よりも大きい角度である、という構成を採用したりすることが可能である。特に後者の構成を採用すると、横張り用ロープの支持部が、前者の構成を採用した場合に比べてパイプ支柱の半径方向外側に位置するようになって、パイプ支柱の外側への支持部の出幅を拡げやすくなる。その結果、支持部に横張り用ロープの施工を容易に行えるようになる。
【００１２】
本考案では、上記線状受け部に対する上記線状折曲げ部の折曲げ方向が、上記線状受け部に対する折返し方向である、という構成を採用することが望ましい。この構成を採用しておくと、線状折曲げ部を有する線状受け部と線状押さえ部でなる装着部にパイプ支柱の筒壁を割り込ませてその装着部をパイプ支柱に差し込むときの作業性が改善される。
【００１３】
本考案では、上記線状受け部と上記線状押さえ部とによる上記筒壁の挟み付け箇所で、それらの線状受け部と線状押さえ部とが上記パイプ支柱の半径方向に並ぶように、上記線状折曲げ部の長さ及び上記開き角度が定められていると共に、上記支持部が上記線状押さえ部の端部から線状受け部と線状押さえ部との並び方向に突き出ていることが望ましい。この構成によると、パイプ支柱の外側への支持部の出幅が最大になる結果、横張り用ロープの施工をさらに容易に行えるようになってその作業性が改善される。
【考案の効果】
【００１４】
以上のように、本考案に係る植栽用パイプフックを用いて横張り用ロープを施工すると、施工後に横張り用ロープが弛んだり張り位置が下がったりすることがなく、しかも、当該植栽用パイプフックがぐらつかない状態でパイプ支柱に装着されるので、横張り用ロープの横張り状態の安定性が向上し、蔓性植物や果実などを効率よく栽培することに寄与させることができるようになる。
【００１５】
特に、線状受け部と線状押さえ部とによるパイプ支柱の筒壁の挟み付け箇所で、それらがパイプ支柱の半径方向に並ぶように、線状折曲げ部の長さ及び上記開き角度が定められていると共に、支持部が線状押さえ部の端部からパイプ支柱の半径方向に突き出ている、という構成を採用しておくと、横張り用ロープの施工時、すなわち、支持部に横張り用ロープを引掛けるときに、パイプ支柱がじゃまになって横張り用ロープを支持部に支えさせにくくなるという事態が起こらなくなり、それだけ施工を容易かつ迅速に行うことができるようになる。
【図面の簡単な説明】
【００１６】
【図１】本考案の実施形態に係る植栽用パイプフックの側面図である。
【図２】図１のＩＩ矢視図である。
【図３】図１のＩＩＩ矢視図である。
【図４】本考案の実施形態に係るパイプフックの装着箇所の要部を示した一部破断側面図である。
【図５】図４のＶ矢視図である。
【図６】本考案の他の実施形態に係る植栽用パイプフックの側面図である。
【図７】図６のＶＩＩ矢視図である。
【図８】図６のＶＩＩＩ矢視図である。
【図９】本考案の他の実施形態に係るパイプフックの装着箇所の要部を示した一部破断側面図である。
【図１０】図９のＸ矢視図である。
【考案を実施するための形態】
【００１７】
図１は本考案の実施形態に係る植栽用パイプフック１０の側面図、図２は図１のＩＩ矢視図、図３は図１のＩＩＩ矢視図である。
【００１８】
このパイプフック１０は、１本の金属線材を折り曲げることによって製作されていて、後述するパイプ支柱５０の頂部に対する装着部２０と、後述する横張り用ロープ６０を支えるための支持部３０と、を備えている。
【００１９】
装着部２０は、真っ直ぐな線状受け部２１と、この線状受け部２１の先端部２２からその線状受け部２１に沿う折返し方向に延出されている線状押さえ部２３と、線状受け部２１の基端部２４を折り曲げることにより形成された線状折曲げ部２５とを有している。線状受け部２１と線状押さえ部２３との連設箇所２６では線材が湾曲状に折り曲げられている。また、線状押さえ部２３は、線状受け部２１に対する遠近方向で滑らかな波形に折り曲げられていて、その先端側の端部２７が、線状受け部２１の基端部２４の近くの箇所に弾接している。図２のように、図例の線状折曲げ部２５は、線状受け部２１に対して斜め折返し方向に向くレ字形に形成されている。また、図３のように、線状折曲げ部２５は、線状受け部２１と線状押さえ部２３との並び方向Ｗ（図１のＷ方向）に対して直角方向に突き出ている。言い換えると、図３に示したように、線状受け部２１の軸線を基準位置Ｐとする線状押さえ部２３からの線状折曲げ部２５の開き角度θが直角になっている。
【００２０】
支持部３０は線状押さえ部２３を折り曲げることにより形成されている。具体的には、支持部３０が、線状押さえ部２３の先端側の端部２７から延び出た湾曲形状に形成されていて、線状押さえ部２３から外向き、言い換えると、線状受け部２１と線状押さえ部２３との並び方向Ｗに突き出てロープ通し孔３２を形成している。また、図例の支持部３０は、その上部に開き口３１が備わっている。支持部３０の形状は図例に限定されない。たとえば、支持部３０を閉じた円形に形成することも可能である。
【００２１】
図１〜図３を参照して説明した植栽用パイプフック１０の使用方法を説明する。図４はパイプフック１０の装着箇所の要部を示した一部破断側面図、図５は図４のＶ矢視図である。
【００２２】
パイプフック１０が取り付けられるパイプ支柱５０は、たとえば植栽用ハウス内の畝に沿って適所に立てられていて、パイプフック１０はそれらのパイプ支柱５０の頂部に装着される。装着作業は、線状受け部２１と線状押さえ部２３との間に、それらの弾性に抗してパイプ支柱５０の筒壁５１を分け入らせるように、筒壁５１にパイプフック１０を差し込むことによって行われる。この装着作業を行うと、図４及び図５のように、線状受け部２１がパイプ支柱５０の頂部でその内側に挿入されてその筒壁５１の内周面に当接すると共に、線状押さえ部２３が筒壁５１の外周面に当接し、それらの線状受け部２１と線状押さえ部２３とが共働して筒壁５１を弾圧状態で挟み付ける。これにより、パイプフック１０がパイプ支柱５０の頂部に装着される。また、線状受け部２１に備わっている線状折曲げ部２５は、線状受け部２１と共にパイプ支柱５０の内側に挿入されて、その先端２８が
パイプ支柱５０の内周面に弾圧状態で当接する。
【００２３】
ここで、線状折曲げ部２５が線状受け部２１に対して斜め折返し方向に向くレ字形に形成されていることにより、線状受け部２１がパイプ支柱５０の内側に挿入されるときに、その線状折曲げ部２５がパイプ支柱５０の内周面に突き当たって挿入しにくくなる、という事態は起こり得ない。この点が、線状折曲げ部２５を上記の形状に形成することの利点である。
【００２４】
また、パイプフック１０の装着状態では、線状受け部２１がパイプ支柱５０の内周面の周方向１箇所に弾圧状態で当接し、その外側で線状押さえ部２３がパイプ支柱５０の外周面に弾圧状態で当接していることに加えて、パイプ支柱５０の内周面の別の周方向１箇所に線状折曲げ部２５の先端２８が弾圧状態で当接している。このため、線状押さえ部２３が、図５に示したパイプ支柱５０の内周面に対する線状受け部２１の当接箇所ａを支点として左右方向にぐらつくという事態の起こることが抑制されることになり、その結果、線状押さえ部２３の端部２７から延び出ている支持部３０もぐらつくことがなくなり、その突き出し方向がパイプ支柱５０に対して外向きになるように固定される。
【００２５】
図４及び図５に示したように、パイプ支柱５０の頂部に装着されたパイプフック１０の支持部３０に、横張り用ロープ６０の適所を支えさせることによって横張り用ロープ６０が施工される。この施工は、湾曲形状の支持部３０のロープ通し孔３２に横張り用ロープ６０を差し通すことによって行っても、支持部３０の開き口３１を利用して横張り用ロープ６０の適所を支持部３０のロープ通し孔３２に嵌め込むことによって行ってもよい。こうして施工された横張り用ロープ６０には、その複数箇所に吊下げ紐(不図示）)が垂れ下げられ、果実などは、その吊下げ紐を利用して吊り下げ状態で栽培される。
【００２６】
横張り用ロープ６０の施工後や果実栽培期間中には、横張り用ロープ６０を介して果実や横張り用ロープ６０などの重みによる比較的大きな下向き加重がパイプフック１０に加わる。しかし、パイプフック１０の上部には線状受け部２１と線状押さえ部２３との連設箇所２６が存在し、その連設箇所２６がパイプ支柱５０の筒壁５１の上端部５２に対向しているので、パイプフック１０がずれ落ちるという事態は、上記連設箇所２６が筒壁５１の上端部５２に係合することによって未然に防止される。そのため、施工後に横張り用ロープ６０が弛んだりその張り位置が下がったりするという事態は生じる余地がなくなる。
【００２７】
ところで、図３を参照して説明したように、この実施形態のパイプフック１０では、線状受け部２１の軸線を基準位置Ｐとする線状押さえ部２３からの線状折曲げ部２５の開き角度θが直角になっている。このことにより次に説明する状況が生じる。なお、以下の説明では、横張り用ロープ６０が、線状押さえ部２３からの支持部３０の突き出し方向に対して直角方向に張設されるものとして（以下では、この調節形態を「直角張設」という）、パイプ支柱５０における横張り用ロープ６０に最も近くなる箇所を「パイプ支柱５０の最大張出部Ｄ」ということにする。
【００２８】
この実施形態のように、横張り用ロープ６０が直角張設されている状況下において、線状折曲げ部２５の開き角度θ（図３参照）が直角になっていると、図５に示したように、線状受け部２１と線状押さえ部２３とによるパイプ支柱５０の筒壁５１の挟み付け箇所Ａ（以下「挟み付け箇所Ａ」という）と筒壁５１に対する線状折曲げ部２５の先端２８の当接箇所Ｂ（以下「当接箇所Ｂ」という）とが、パイプ支柱５０の最大張出部Ｄを通るパイプ支柱５０の半径方向線Ｒを挟む両側に位置することになる。このため、線状押さえ部２３の端部２７からの支持部３０の出幅Ｚ（図１、図５参照）の割に、パイプ支柱５０の外周面上の最大張出部Ｄからの支持部３０の出幅Ｚ１が少なくなり、支持部３０によって形成されている横張り用ロープ通し孔３２に横張り用ロープ６０を通しにくくなったり、パイプ支柱５０の最大出幅部Ｄから離れている支持部３０の位置が不自然に感じられるようになったりすることがあるということが知見された。
【００２９】
この状況を改善するためには、パイプ支柱５０の頂部にパイプフック１０を装着したときに、支持部３０がパイプ支柱５０の最大張出部Ｄにできるだけ近い箇所に位置するようになる対策を講じることが有益である。そこで、本考案者はさらに改善を重ねた結果、線状受け部２１の軸線を基準位置Ｐとする線状押さえ部２３からの線状折曲げ部２５の開き角度θを直角よりも大きい角度にしておくと、パイプ支柱５０の頂部にパイプフック１０を装着したときに、支持部３０をパイプ支柱５０の最大張出部Ｄに近付けることができるようになる、ということを見出した。併せて、上記挟み付け箇所Ａで、線状受け部２１と線状押さえ部２３とがパイプ支柱５０の半径方向に並ぶように、線状折曲げ部２５の長さ及び開き角度θを定めることができるということを見出した。
【００３０】
次に、上記挟み付け箇所Ａで、線状受け部２１と線状押さえ部２３とがパイプ支柱５０の半径方向に並ぶように、線状折曲げ部２５の長さ及び開き角度θを定めた他の実施形態を説明する。図６は本考案の他の実施形態に係る植栽用パイプフック１０の側面図、図７は図６のＶＩＩ矢視図、図８は図６のＶＩＩＩ矢視図である。
【００３１】
このパイプフック１０において、図１〜図３のものと異なるのは、線状折曲げ部２５の構成のみである。したがって、説明の重複を回避するために、図１〜図３のパイプフック１０を構成している他の要素と同一又は相応する要素に同一符号を付してそれらの構成の詳細な説明を省略する。
【００３２】
この実施形態において、図８のように、線状折曲げ部２５は、線状受け部２１の軸線を基準位置Ｐとする線状押さえ部２３からの線状折曲げ部２５の開き角度θが直角よりも大きい角度になっている。そして、この線状折曲げ部２５の長さや上記開き角度θは、上記挟み付け箇所Ａで、線状受け部２１と線状押さえ部２３とがパイプ支柱５０の半径方向に並ぶように定められている。この点だけが、図１〜図３のものと異なっている。
【００３３】
図９は他の実施形態に係るパイプフック１０の装着箇所の要部を示した一部破断側面図、図１０は図９のＸ矢視図である。図７〜図８に示したパイプフック１０において、パイプ支柱５０の頂部への装着手順は、図１〜図３のものと同様である。
【００３４】
すなわち、装着作業は、線状受け部２１と線状押さえ部２３との間に、それらの弾性に抗してパイプ支柱５０の筒壁５１を分け入らせるように、筒壁５１にパイプフック１０を差し込むことによって行われる。この装着作業を行うと、図９及び図１０のように、線状受け部２１がパイプ支柱５０の頂部でその内側に挿入されてその筒壁５１の内周面に当接すると共に、線状押さえ部２３が筒壁５１の外周面に当接し、それらの線状受け部２１と線状押さえ部２３とが共働して筒壁５１を弾圧状態で挟み付ける。これにより、パイプフック１０がパイプ支柱５０の頂部に装着される。また、線状受け部２１に備わっている線状折曲げ部２５は、線状受け部２１と共にパイプ支柱５０の内側に挿入されて、その先端２８がパイプ支柱５０の内周面に弾圧状態で当接する。この装着作業では、線状折曲げ部２５が線状受け部２１に対して斜め折返し方向に向くレ字形に形成されていることにより、線状受け部２１がパイプ支柱５０の内側に挿入されるときに、その線状折曲げ部２５がパイプ支柱５０の内周面に突き当たって挿入しにくくなる、という事態は起こり得ない。
【００３５】
また、パイプフック１０の装着状態では、線状受け部２１の略全長部分がパイプ支柱５０の内周面の周方向１箇所に弾圧状態で当接し、その外側で線状押さえ部２３がパイプ支柱５０の外周面に弾圧状態で当接していることに加えて、パイプ支柱５０の内周面の別の周方向１箇所に線状折曲げ部２５の先端２８が弾圧状態で当接している。このため、線状押さえ部２３が、図５に示したパイプ支柱５０の内周面に対する線状受け部２１の当接箇所ａを支点として左右方向にぐらつくという事態の起こることが抑制されることになり、その結果、線状押さえ部２３の端部２７から延び出ている支持部３０もぐらつくことがなくなり、その突き出し方向がパイプ支柱５０に対して外向きになるように固定される。
【００３６】
図９及び図１０に示したように、パイプ支柱５０の頂部に装着されたパイプフック１０の支持部３０に、横張り用ロープ６０の適所を支えさせることによって横張り用ロープ６０が施工される。施工された横張り用ロープ６０には、その複数箇所に吊下げ紐(不図示）)が垂れ下げられ、果実などは、その吊下げ紐を利用して吊り下げ状態で栽培される。
【００３７】
この実施形態においても、パイプフック１０がずれ落ちるという事態は、線状受け部２１と線状押さえ部２３との連設箇所２６が筒壁５１の上端部５２に係合することによって未然に防止される。そのため、施工後に横張り用ロープ６０が弛んだりその張り位置が下がったりするという事態は生じる余地がなくなる。
【００３８】
この実施形態では、上記したように、かつ、図１０に示したように、挟み付け箇所Ａで、線状受け部２１と線状押さえ部２３とがパイプ支柱５０の半径方向に並ぶように、線状折曲げ部２５の長さ及び開き角度θ（図８参照）を定めてある。そのため、上記挟み付け箇所Ａでは、当然に、図示のように線状受け部２１と線状押さえ部２３とがパイプ支柱５０の半径方向に並び、線状押さえ部２３からの支持部３０の突き出し方向が、パイプ支柱５０の半径方向に一致する。したがって、パイプ支柱５０の最大張出部Ｄから支持部３０が半径方向外側に向けて突き出るようになる結果、支持部３０によって形成されている横張り用ロープ通し孔３２に横張り用ロープ６０を通しやすくなり、併せて、支持部３０の位置が不自然に感じられることはない。
【００３９】
ちなみに、内周直径が１５ｍｍのパイプ支柱５０の頂部に装着されるパイプフック１０において、挟み付け箇所Ａで線状受け部２１と線状押さえ部２３とがパイプ支柱５０の半径方向に並ぶようにするためには、折曲げ部２５の長さを１５〜２０ｍｍ、開き角度θを１００〜１２０度にしておくとよい。
【符号の説明】
【００４０】
１０  パイプフック
２０  装着部
２１  線状受け部
２２  線状受け部の先端部
２３  線状押さえ部
２４  線状受け部の基端部
２５  線状折曲げ部
３０  支持部
５０  パイプ支柱
５１  パイプ支柱の筒壁
６０  横張り用ロープ
Ａ  線状受け部と線状押さえ部とによる筒壁の挟み付け箇所
Ｐ  基準位置
θ  開き角度
【図１】
0003192445.tif 000003
【図２】
0003192445.tif 000004
【図３】
0003192445.tif 000005
【図４】
0003192445.tif 000006
【図５】
0003192445.tif 000007
【図６】
0003192445.tif 000008
【図７】
0003192445.tif 000009
【図８】
0003192445.tif 000010
【図９】
0003192445.tif 000011
【図１０】
0003192445.tif 000012